(57)【要約】【課題】隣接配置する複数の基板を同一平面にネジで共締めする場合に、基板の固定部にて基板がずれて逃げる（または離れる）力を抑制し、基板内やネジ固定部の中心部方向のストレスやひずみ及び、たわみの発生を防止し、十分なトルクでネジを締め付けることが可能な共締めするネジ固定部を有する組み合わせ基板を提供する。【解決手段】支持筺体３０のメネジ部３１には基板３３，３７を介してネジ３８がねじ込まれ、他の支持部３２は基板３３，３７を裏面側に撓まないように支持する。基板３７の凸形状部と基板３３の凹形状部は嵌め合い形状を形成している。破線内に示される基板３７を基板３３に嵌合させる方向は、基板平面に水平な方向ＤＡもしくは基板平面に垂直な方向ＤＢ（その間も含む）である。基板平面に垂直な方向ＤＢに限定する場合においては、抜け止め形状部として、抜け止めのための凹凸構造を付加するか、または、ホゾ構造を作ることで、ＤＡの逆方向に基板３７が外れない嵌め合い構造が形成される。【選択図】図２
2014241375.tif 000002
【特許請求の範囲】
【請求項１】
隣接配置する複数の基板を同一平面にネジで共締めする共締めネジ固定部を有する組み合わせ基板において、
前記同一平面上の隣接配置する一方の基板端面に凸形状部、他方の基板端面に凹形状部を設けて該凸形状部および該凹形状部で形成される１つ以上の嵌め合い形成部と、該嵌め合い形成部に前記共締めネジ固定部を設けたことを特徴とする組み合わせ基板。
【請求項２】
前記嵌め合い形成部は、さらに、抜け止め形状部を有することを特徴とする請求項１に記載の組み合わせ基板。
【請求項３】
前記抜け止め形状部は、凹凸構造またはホゾ構造を有することを特徴とする請求項２に記載の組み合わせ基板。
【請求項４】
前記複数の基板端面の嵌め合い形成部は楔形状を有し、前記ネジの締め付け回転方向のトルクにより、基板端面同士が食い込むようにしたことを特徴とする請求項１〜３の何れか一つに記載の共締めするネジ固定部を有する基板。
【請求項５】
前記一方の基板端面と前記他方の基板端面にさらにホゾ構造を有することを特徴とする請求項１〜４の何れか一つに記載の組み合わせ基板。
【発明の詳細な説明】
【技術分野】
【０００１】
本発明は、基板の固定取付けにおいて、複数の基板を共締めし嵌め合い形成部を設けた基板（構造）に関する。
【背景技術】
【０００２】
従来、複数枚の基板を隣接配置して組み合わせて形成される組み合わせ基板において、各基板の固定支持部は、それぞれ独立した取付け穴とメネジ部にそれぞれ一対で同数の固定ネジを使用している。
【０００３】
図８は従来技術の共締め固定部を有する組み合わせ基板を説明する図である。図８（ａ）に示される基板１０は、基板１０単独で図示しない支持筺体にネジで固定される通常ネジ固定部１１が設けられている。基板１４は基板１４単独で図示しない支持筺体にネジ１２で固定される通常ネジ固定部１３が設けられている。基板１０と基板１４とは隣接しており、両者が接する辺に、ネジ１２で共締めされる共締めネジ固定部１６が設けられている。共締めネジ固定部１６にはネジ穴１７が設けられ、基板１０と基板１４に分割されてネジの締め付け面が配設されている。
【０００４】
図８（ｂ）に示される基板２０は、基板２０単独で図示しない支持筺体にネジ２２で固定される通常ネジ固定部２１が設けられている。通常ネジ固定部２１にはネジ２２を装着するネジ穴２５が設けられている。基板２０と基板２３とは隣接しており、両者が接する辺に、ネジで共締めされる共締めネジ固定部２４が設けられている。共締めネジ固定部２４には、ネジ穴２６が設けられ、ネジ２２の締め付け面は基板２０と基板２３とに分割して配設されている。
【０００５】
特許文献１には、隣接する２つのフレキシブル配線基板のうちの、一方のフレキシブル配線基板のねじ穴と、他方のフレキシブル配線基板のねじ穴とを重ねて一つのねじを用いて共締めすることにより、フレキシブル配線基板を金属シャーシに取り付けるためのねじの数を削減する技術が開示されている。特許文献１に開示される技術は、取付けネジの本数を削減し、部品代及び作業工数を削減しようとするものであり、１箇所の固定ネジ座面の締め付け面で、２枚以上の基板面を同時に固定するものである。
【先行技術文献】
【特許文献】
【０００６】
【特許文献１】特開２０１２−２２０２０号公報
【発明の概要】
【発明が解決しようとする課題】
【０００７】
図８に示した基板の従来の共締め固定部は、単純に固定ネジ締め付け円形（ドーナツ状）面積を２分割し、２枚の基板の半円面を固定している。しかし、この構成では、それぞれの基板の固定部の半円形状中心部から法線方向へ基板がずれて逃げる力が発生し、基板内や中心部方向のストレスやひずみ及び、たわみが生じ、十分なトルクでネジを締め付けることができない。また、特許文献１に開示された技術は、基板端部の形状が段差をなしており、同一平面上で複数の基板を固定することができない。
【０００８】
そこで、本発明の目的は、上記従来技術の問題点に鑑み、隣接配置する複数の基板を同一平面にネジで共締めする場合に、基板内やネジ固定部の中心部方向のストレスやひずみ及び、たわみの発生を防止し、十分なトルクでネジを締め付けることが可能な共締めするネジ固定部を有する組み合わせ基板を提供することである。
【課題を解決するための手段】
【０００９】
本発明は、一方の基板端面に凸形状部をもう一方の基板端面に凹形状部を設けて、基板端面にて嵌め合い形状を形成し、嵌め合い挿入方向の側面（合わせ部）にネジ固定部を設け、ネジ締付け面を分割配置することで、ネジを締め付けても軸力に対し２つの基板がずれて離れることなく、安定して固定できるようになる。
【発明の効果】
【００１０】
本発明により、隣接配置する複数の基板を同一平面にネジで共締めする場合に、基板内やネジ固定部の中心部方向のストレスやひずみ及び、たわみの発生を防止し、十分なトルクでネジを締め付けることが可能な共締めするネジ固定部を有する組み合わせ基板を提供できる。
【図面の簡単な説明】
【００１１】
【図１】隣接配置する複数の基板を同一平面にネジで共締めする共締めネジ固定部を有する組み合わせ基板を説明する図である。
【図２】図１に示される隣接配置する複数の基板を同一平面にネジで共締めする共締めネジ固定部を有する組み合わせ基板の分解斜視図である。
【図３】抜け止めのための凹凸構造を説明する図である。
【図４】抜け止めのためのホゾ構造を説明する図である。
【図５】共締めネジ固定部を拡大して説明する図である。
【図６】３枚の基板を共締め固定した例を説明する図である。
【図７】隣接する複数の各基板にぬけ防止構造を有する実施形態を説明する図である。
【図８】従来技術の共締め固定部を有する基板を説明する図である。
【発明を実施するための形態】
【００１２】
以下、本発明の実施形態を図面と共に説明する。  
図１は隣接配置する複数の基板を同一平面にネジで共締めするネジ固定部を有する組み合わせ基板の正面図と側面図である。
【００１３】
基板３３と基板３７は、支持筺体３０に配設されたメネジ部３１および他の支持部３２を介して、前記両基板３３，３７が隣接するように取り付けられて組み合わせ基板を構成している。基板３３と基板３７はコネクタや接点などの接続部分３６を備えている。基板３３は、基板３３の単独でメネジ部３１にネジ３８を挿通し支持筺体３０に固定する通常ネジ固定部３４を有する。また、他の支持部３２は基板３３が撓まないように、基板３３の下部を支えている。
【００１４】
本発明の実施形態ではさらに、基板３３の端面に凹形状部が設けられ、基板３７の端面には、前記基板３３の凹形状に対応した形状を有する凸形状部が設けられている。前記凹形状部と前記凸形状部は、基板３３，３７の端面において嵌め合い形状を形成している。そして、嵌め合い挿入方向の側面（合わせ部）にネジ３８を挿通する共締めネジ固定部３５を設ける。そして、ネジ締付け面を基板３３と基板３７とに分割配置することで、ネジ３８を基板３３，３７に締め付けても軸力に対し２つの基板３３，３７がずれて離れることなく、安定して固定できる。図１では、基板３３と基板３７が隣接する端面の２箇所に共締めネジ固定部３５が設けられている。なお、基板３３の端面に凸形状部を設け、基板３７の端面に凹形状部を設けてもよい。
【００１５】
図２は図１に示される隣接配置する複数の基板を同一平面にネジで共締めするネジ固定部を有する基板を説明する分解斜視図である。支持筺体３０には、基板３３と基板３７を支持するための複数のメネジ部３１と他の支持部３２が配設されている。メネジ部３１には基板３３，３７を介してネジ３８がねじ込まれる。他の支持部３２は、基板３３，３７が裏面側に撓まないように支持する部材である。基板３７の端面には凸形状部が設けられ、基板３３の端面には凹形状部が設けられている。前記凸形状部と前記凹形状部は、基板３３，３７の端面において嵌め合い形状を形成している。
【００１６】
破線内に示される基板３７を基板３３に嵌合させる方向は、基板平面に水平な方向ＤＡもしくは基板平面に垂直な方向ＤＢ（その間も含む）である。基板平面に垂直な方向ＤＢに限定する場合においては、抜け止め形状部として、図３，図４の拡大図中の抜け止めのための凹凸構造（図３参照）を付加するか、または、ホゾ構造（図４参照）を作ることで、ＤＡの逆方向に基板３７が外れない嵌め合い構造が形成される。
【００１７】
図３は抜け止めのための凹凸構造を説明する図である。共締めネジ固定部３５は、基板３３と基板３７の隣接端部に形成された嵌め合い形状部に形成される。共締めネジ固定部３５は、嵌め合い形状部の基板３３と基板３７が接する個所に、ネジ３８を装着するためのネジ穴４０が両基板に跨がるように形成されている。ネジ穴４０の周りに両基板に分割されてネジ締め付け面４１が配置されている。嵌め合い形成部には、さらに抜け防止のための凹凸構造３９が設けられ、矢印×方向に基板３７が抜け出さないようにされている。図４は抜け止めのためのホゾ構造を説明する図である。図３の凹凸構造３９に替えてホゾ構造４２が嵌め合い形状部に設けられている。
【００１８】
さらに、この嵌め合い形状部を楔状にすることでネジ締め付け回転方向（時計回り）トルク４９により、締め付け面の摩擦力が嵌合端面を強く食い込ませ、共締めネジ固定部３５の基板合わせ端面の密着度は高まる（図５（ｂ）参照）。２つの基板固定面高さの微小誤差はネジ３８にバネ座金付ネジを使用することで吸収する。なお、図５（ａ）には凸形状部と凹形状部の嵌め合い形状部に共締めネジ固定部３５を設けることにより、基板３３と基板３７とが（２つの）矢印方向に相対的にずれることを防止できることが図示されている。
【００１９】
次に、図６を用いて３枚の基板からなる組み合わせ基板の実施形態を説明する。基板４３，４４，４５にはそれぞれ凸形状部と凹形状部が各基板の端部に形成されている。隣接する凹凸形状は対応する形状を備え嵌め合い構造をなしており、３枚の基板４３，４４，４５の凹凸形状で一つの共締めネジ固定部４７が形成されている。共締めネジ固定部４７にはネジ穴４６が備わっている。
【００２０】
上述した本発明の実施形態では、少なくとも１箇所の共締めネジ固定部により、締め付け安定性を得られるものである。図７は隣接する複数の各基板に抜け防止構造を有する実施形態を説明する図である。共締めネジ固定部とは別の（離れた）場所にホゾ構造４８を設けて組み合わせることにより、ネジの使用個数を削減できる。この実施形態では、ネジを用いる共締めネジ固定部とネジを用いない固定部で、複数の基板を安定して固定することができ、基板の取付けネジの使用数量を削減し、部品代及び作業工数削減が図れる。
【符号の説明】
【００２１】
１０  基板
１１  通常ネジ固定部
１２  ネジ
１３  通常ネジ固定部
１４  基板
１５  他の支持部
１６  共締めネジ固定部
１７  ネジ穴
２０  基板
２１  通常ネジ固定部
２２  ネジ
２３  基板
２４  共締めネジ固定部
２５  ネジ穴
２６  ネジ穴
３０  支持筺体
３１  メネジ部
３２  他の支持部
３３  基板
３４  通常ネジ固定部
３５  共締めネジ固定部
３６  接続部分
３７  基板
３８  ネジ
３９  凹凸構造
４０  ネジ穴
４１  ネジ締め付け面
４２  ホゾ構造
４３  基板
４４  基板
４５  基板
４６  ネジ穴
４７  共締めネジ固定部
４８  ホゾ構造
４９  ネジ締め付け回転方向（時計回り）トルク
ＤＡ  基板平面に水平な方向
ＤＢ  基板平面に垂直な平行な方向
【図１】
2014241375.tif 000003
【図２】
2014241375.tif 000004
【図３】
2014241375.tif 000005
【図４】
2014241375.tif 000006
【図５】
2014241375.tif 000007
【図６】
2014241375.tif 000008
【図７】
2014241375.tif 000009
【図８】
2014241375.tif 000010
【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
隣接配置する複数の基板を同一平面にネジで共締めする共締めネジ固定部を有する組み合わせ基板において、
前記同一平面上の隣接配置する一方の基板端面に凸形状部、他方の基板端面に凹形状部を設けて該凸形状部および該凹形状部で形成される１つ以上の嵌め合い形成部と、該嵌め合い形成部に前記共締めネジ固定部を設け、
前記嵌め合い形成部は、楔形状を有し、前記ネジの締め付け回転方向のトルクにより、基板端面同士が食い込むようにしたことを特徴とする組み合わせ基板。
【請求項２】
前記嵌め合い形成部は、さらに、抜け止め形状部を有することを特徴とする請求項１に記載の組み合わせ基板。
【請求項３】
前記抜け止め形状部は、凹凸構造またはホゾ構造を有することを特徴とする請求項２に記載の組み合わせ基板。
【請求項４】
前記一方の基板端面と前記他方の基板端面にさらにホゾ構造を有することを特徴とする請求項１〜３の何れか一つに記載の組み合わせ基板。